(57)【要約】【課題】ガンマ補正が施された画像信号を表示パネルで表示する際に、低輝度部分を維持することでコントラストを確保し、更に全体的な明度を高めることが可能な画像処理装置および画像処理プログラムを提供する。【解決手段】画像処理装置３２は、画像出力装置２から出力されたガンマ補正された画像信号の輝度が、所定閾値未満、または以上であるかを判定する輝度判定手段３２２と、輝度判定手段３２２が所定値未満と判定した場合、画像信号を逆ガンマ補正して表示パネル３１に出力し、輝度判定手段３２２が所定閾値以上と判定した場合、画像信号を補正せずに表示パネル３１に出力する輝度補正手段３２３とを備えている。【選択図】図１
2010117818.tif 000002
【特許請求の範囲】
【請求項１】
ガンマ補正された画像信号を輝度補正して表示パネルに出力する画像処理装置において、
ガンマ補正された画像信号の輝度が、所定閾値を基準とした低輝度であるか、または高輝度であるかを判定する輝度判定手段と、
前記輝度判定手段が低輝度と判定した場合、前記ガンマ補正された画像信号に対して前記ガンマ補正を相殺する逆ガンマ補正を行って表示パネルに出力し、前記輝度判定手段が高輝度と判定した場合、前記ガンマ補正された画像信号に対して輝度補正しない非補正として表示パネルに出力する輝度補正手段と
を備えた画像処理装置。
【請求項２】
前記輝度判定手段は、所定閾値を第１輝度基準値として画像信号の輝度が高輝度と判定した場合に、更に、画像信号の輝度が、高輝度でも第２輝度基準値となる所定閾値を基準とした高輝度範囲に含まれるか、中輝度範囲に含まれるかを判定し、
前記輝度補正手段は、前記高輝度範囲に含まれると判定した場合、前記ガンマ補正された画像信号に対して非補正とし、
前記中輝度範囲に含まれると判定した場合、低輝度と判定されて逆ガンマ補正される輝度範囲のうち最も輝度が高い補正点から、前記高輝度範囲のうち最も輝度が低い補正点までを、非補正時の輝度との乖離が逆ガンマ補正と比較して少なくなる近似補正を行って、前記逆ガンマ補正される輝度範囲から前記高輝度範囲までが連続した補正曲線となる近似補正範囲とした補正を行う請求項１記載の画像処理装置。
【請求項３】
前記輝度補正手段は、前記近似補正範囲に行う近似補正を、指数χが０＜χ＜１の範囲の指数関数により算出する請求項２記載の画像処理装置。
【請求項４】
前記輝度判定手段が判定に用いる所定閾値を設定する輝度閾値設定手段を備えた請求項１から３のいずれかの項に記載の画像処理装置。
【請求項５】
前記輝度補正手段が逆ガンマ補正を行う際のガンマ値を設定するガンマ値設定手段を備えた請求項１から４のいずれかの項に記載の画像処理装置。
【請求項６】
コンピュータを、
ガンマ補正された画像信号の輝度が、所定閾値を基準とした低輝度であるか、または高輝度であるかを判定する輝度判定手段、
前記輝度判定手段が低輝度と判定した場合、前記ガンマ補正された画像信号に対して前記ガンマ補正を相殺する逆ガンマ補正をして表示パネルに出力し、
前記輝度判定手段が高輝度と判定した場合、前記ガンマ補正された画像信号に対して輝度補正しない非補正として表示パネルに出力する輝度補正手段
として機能させる画像処理プログラム。
【発明の詳細な説明】
【技術分野】
【０００１】
本発明は、ガンマ補正された画像信号を、表示輝度が入力に対して比例の関係にある表示パネルに出力する際に、補正をすることで適正に表示させることができる画像処理装置および画像処理プログラムに関する。
【背景技術】
【０００２】
ＣＲＴ（Cathode Ray Tube）を用いた表示装置では、表示輝度が入力輝度信号に対して比例の関係でなく指数関数的な表示特性を有するので、表示装置へ画像信号を出力するコンピュータなどの画像出力装置では予めガンマ補正された画像信号を表示装置に対して出力する。
【０００３】
例えば、特許文献１に記載の画像処理装置は、カメラから出力されたガンマ補正された画像信号を、補正される前の状態の信号に戻す逆ガンマ処理部と、逆ガンマ補正された画像信号を画像のボケを補正する補正処理部と、ボケを補正した画像信号にガンマ補正してディスプレイに出力するガンマ処理部とを備えたものである。
【０００４】
このように、ガンマ補正された画像信号に対して、一旦補正される前の状態の信号に戻してボケの補正を行った後、再度ガンマ補正することで、ディスプレイではカメラからの輝度を維持しながらボケの補正を行うことができる。
【０００５】
ＣＲＴは指数関数的な表示特性を有するガンマ補正が必要であるが、ＬＥＤ（Light Emitting Diode）をマトリックス状に配列した表示パネルを用いた表示装置では、表示輝度が入力輝度に対して比例の関係を有する表示特性なので、ガンマ補正された画像信号を正常に表示するために、補正される前の状態の信号に戻す逆ガンマ補正をする画像処理を行っている。
【特許文献１】特開２００８−３３５９２号公報
【発明の開示】
【発明が解決しようとする課題】
【０００６】
しかし、ＬＥＤの表示パネルが設けられた表示装置における画像処理を、単にガンマ補正を相殺するような逆ガンマ処理を行っただけでは、画像によっては全体的に輝度が暗くなる印象を与えてしまう画像となるおそれがある。
【０００７】
そこで本発明は、ガンマ補正が施された画像信号を表示パネルで表示する際に、低輝度部分を維持することで、コントラストを確保し、更に全体的な明度を高めることが可能な画像処理装置および画像処理プログラムを提供することを目的とする。
【課題を解決するための手段】
【０００８】
本発明は、ガンマ補正された画像信号を輝度補正して表示パネルに出力する画像処理装置において、ガンマ補正された画像信号の輝度が、所定閾値を基準とした低輝度であるか、または高輝度であるかを判定する輝度判定手段と、前記輝度判定手段が低輝度と判定した場合、前記ガンマ補正された画像信号に対して前記ガンマ補正を相殺する逆ガンマ補正を行って表示パネルに出力し、前記輝度判定手段が高輝度と判定した場合、前記ガンマ補正された画像信号に対して輝度補正しない非補正として表示パネルに出力する輝度補正手段とを備えたことを特徴とする。
【発明の効果】
【０００９】
本発明は、輝度閾値未満であれば逆ガンマ補正し、輝度閾値以上であれば補正せず出力することで、低輝度部分を維持することで、コントラストを確保し、更に高輝度部分が更に高められるので、全体的に明度の高い画像とすることができる。
【発明を実施するための最良の形態】
【００１０】
本願の第１の発明は、ガンマ補正された画像信号を輝度補正して表示パネルに出力する画像処理装置において、ガンマ補正された画像信号の輝度が、所定閾値を基準とした低輝度であるか、または高輝度であるかを判定する輝度判定手段と、前記輝度判定手段が低輝度と判定した場合、前記ガンマ補正された画像信号に対して前記ガンマ補正を相殺する逆ガンマ補正を行って表示パネルに出力し、前記輝度判定手段が高輝度と判定した場合、前記ガンマ補正された画像信号に対して輝度補正しない非補正として表示パネルに出力する輝度補正手段とを備えたことを特徴としたものである。
【００１１】
本発明の画像処理装置は、輝度判定手段がガンマ補正された画像信号の輝度を、所定閾値を基準に低輝度か、または高輝度と判定する。画像信号の輝度が低輝度と判定されると、輝度補正手段がガンマ補正された画像信号を相殺する逆ガンマ補正を行って表示パネルに出力するので、低輝度部分は状態を維持したまま表示される。輝度判定手段がガンマ補正された画像信号の輝度を低輝度と判定すると、輝度補正手段が画像信号を補正しない非補正とするので、ガンマ補正された状態の画像信号がそのまま表示される。高輝度部分は表示特性を補うようにガンマ補正されることで更に高輝度に補正されているので、輝度補正手段が補正せずにそのまま出力することで、ガンマ補正により輝度が高められた状態の画像信号が出力される。従って、低輝度部分を維持したまま、高輝度部分が更に高められることで、明度の高い画像となる。
【００１２】
本願の第２の発明は、第１の発明において、前記輝度判定手段は、所定閾値を第１輝度基準値として画像信号の輝度が高輝度と判定した場合に、更に、画像信号の輝度が、高輝度でも第２輝度基準値となる所定閾値を基準とした高輝度範囲に含まれるか、中輝度範囲に含まれるかを判定し、前記輝度補正手段は、前記高輝度範囲に含まれると判定した場合、前記ガンマ補正された画像信号に対し非補正とし、前記中輝度範囲に含まれると判定した場合、低輝度と判定されて逆ガンマ補正される輝度範囲のうち最も輝度が高い補正点から、前記高輝度範囲のうち最も輝度が低い補正点までを、非補正時の輝度との乖離が逆ガンマ補正と比較して少なくなる近似補正を行って、前記逆ガンマ補正される輝度範囲から前記高輝度範囲までが連続した補正曲線となる近似補正範囲とした補正を行うことを特徴としたものである。
【００１３】
第２の発明においては、前記輝度判定手段が高輝度と判定した場合、輝度補正手段は、輝度判定手段により更に判定された中輝度範囲と、高輝度範囲とに区分して補正する。高輝度範囲では、ガンマ補正された画像信号に対し補正せずに表示パネルに出力する範囲である。そして、中輝度範囲では、低輝度と判定されて逆ガンマ補正される輝度範囲のうち最も輝度が高い補正点から、高輝度範囲のうち最も輝度が低い補正点までを、非補正時の輝度との乖離が逆ガンマ補正と比較して少なくなる近似補正を行って、逆ガンマ補正される輝度範囲から前記非補正範囲までが連続した補正曲線となるようにする。つまり、低輝度で逆ガンマ補正される輝度範囲から非補正とした高輝度範囲までが連続した補正曲線となるようにすることで、それぞれの範囲の境界で急激な輝度の変化を抑止することで、極端に輝度が変化することで、表示パネルを見ていてノイズと誤認されることを防止することができる。
【００１４】
本願の第３の発明は、第２の発明において、前記輝度補正手段は、前記近似補正範囲に行う近似補正を、指数χが０＜χ＜１の範囲の指数関数により算出することを特徴としたものである。
【００１５】
第３の発明においては、輝度補正手段が、近似補正範囲に行う近似補正を、指数χが０＜χ＜１の範囲の指数関数により算出することで、非補正時の輝度との乖離が逆ガンマ補正と比較して少なくなる近似補正を行うことができる。
【００１６】
本願の第４の発明は、第１から第３のいずれかの発明において、輝度判定手段が判定に用いる所定値を設定する輝度閾値設定手段を備えたことを特徴としたものである。
【００１７】
第４の発明においては、輝度閾値設定手段により輝度判定手段が判定に用いる所定値を設定することができるので、明度のバランスを変更することができる。
【００１８】
本願の第５の発明は、第１から第４のいずれかの発明において、輝度補正手段が逆ガンマ補正を行う際のガンマ値を設定するガンマ値設定手段を備えたことを特徴としたものである。
【００１９】
第５の発明においては、ガンマ値設定手段により輝度補正手段が逆ガンマ補正を行う際のガンマ値を設定することができるので、低輝度部分における明度を変更することができる。
【００２０】
本願の第６の発明は、コンピュータを、ガンマ補正された画像信号の輝度が、所定値未満、または以上であるかを判定する輝度判定手段、輝度判定手段が所定値未満と判定した場合、画像信号を逆ガンマ補正して表示パネルに出力し、輝度判定手段が所定値以上と判定した場合、画像信号を補正せずに非補正として表示パネルに出力する輝度補正手段として機能させることを特徴としたものである。
【００２１】
本発明の画像処理プログラムは、コンピュータを輝度判定手段と輝度補正手段として機能させるものである。この輝度判定手段がガンマ補正された画像信号の輝度を所定閾値を基準に低輝度か、または高輝度と判定する。画像信号の輝度が低輝度と判定されると、輝度補正手段がガンマ補正された画像信号を相殺する逆ガンマ補正を行って表示パネルに出力するので、低輝度部分は状態を維持したまま表示される。輝度判定手段がガンマ補正された画像信号の輝度を所定値以上と判定すると、輝度補正手段が画像信号を補正しないので、ガンマ補正された状態の画像信号がそのまま表示される。高輝度部分は表示特性を補うようにガンマ補正されることで更に高輝度に補正されているので、輝度補正手段が補正せずにそのまま出力することで輝度が高められる。従って低輝度部分を維持したまま、高輝度部分が更に高められることで、明度が高い画像となる。
【００２２】
（実施の形態１）
本発明の実施の形態１に係る表示システムを図面に基づいて説明する。図１は、本発明の実施の形態１に係る表示システムの構成を示すブロック図である。図２は、ガンマ補正を説明するためのガンマ曲線を示すグラフである。
【００２３】
図１に示すように本発明の実施の形態１に係る表示システム１は、画像出力装置２と、表示装置３とを備えている。
【００２４】
画像出力装置２は、表示装置３に応じた画像信号を出力する機能を備えている。画像出力装置２は、例えば、ビデオテープ再生装置、ＤＶＤ（Digital Versatile Disk）再生装置、ビデオカメラ、パーソナルコンピュータなどとすることができる。画像出力装置２は、画像信号を生成する画像生成手段２１と、画像生成手段２１が生成した画像信号に対してガンマ補正を行うガンマ補正手段２２とを備えている。なお、図１においては、画像出力装置２の主要な構成のみを図示しており、他の構成は省略している。
【００２５】
ガンマ補正手段２２は、ＣＲＴを用いた表示装置に画像を表示する場合に好適な画像信号とするために、図２のグラフで示されるガンマ曲線に基づいて画像データの輝度を変更するガンマ補正の処理を各色について行うものである。
【００２６】
このガンマ曲線は、出力信号＝入力信号1/γで示される曲線である。ＣＲＴの場合には、ガンマ値は２．２が標準的である。画像信号がコンピュータから出力される画像データである場合には、画像データが０〜２５５の２５６階調とすると、ガンマ曲線は、出力ピクセル＝２５５×（入力ピクセル／２５５）1/γで示される曲線となる。
【００２７】
次に、表示装置３の構成を説明する。表示装置３は、表示パネル３１と、画像処理装置３２とを備えている。表示パネル３１は、ＬＥＤを縦列および横列に配置することでマトリックス状とした画面であり、入力した画像信号に応じたカラー画像を表示する機能を備えている。
【００２８】
画像処理装置３２は、画像メモリ３２１と、輝度判定手段３２２と、輝度補正手段３２３と、輝度閾値設定手段３２４と、ガンマ値設定手段３２５とを備えている。
【００２９】
画像メモリ３２１は、画像出力装置２から出力される少なくとも１フレーム分のカラー画像の画像信号を画像データとして入力して格納する画像データ記憶手段として機能するものである。
【００３０】
輝度判定手段３２２は、画像メモリ３２１からカラー画像の画像データを読み出して、輝度の度合いを基準値である第１輝度閾値（第１輝度基準値）に基づいて判定するもので、第１輝度閾値未満の輝度を低輝度、輝度閾値以上の輝度を高輝度として判定する。
【００３１】
輝度補正手段３２３は、画像メモリ３２１から読み出した画像データの輝度を、輝度判定手段３２２からの判定に基づいて各色毎に逆ガンマ補正を行ったり、補正を行わずに出力したりする機能を備えている。
【００３２】
輝度閾値設定手段３２４は、輝度判定手段３２２が輝度の度合いを判定する際の基準となる第１輝度閾値を各色毎に設定する機能を備えている。
【００３３】
ガンマ値設定手段３２５は、輝度補正手段３２３による逆ガンマ補正のガンマ値を各色毎に設定する機能を備えている。
【００３４】
以上のように構成された本発明の実施の形態に係る表示システムの動作について、図面に基づいて説明する。図３は、図１に示す表示システムの動作を説明するフローチャートである。図４は、逆ガンマ補正を説明するための逆ガンマ曲線を示すグラフである。図５は、輝度補正手段による補正処理を説明するためのグラフである。図６は、画像生成手段からの出力と表示パネルへの出力との輝度の関係を示すグラフである。図７は、輝度閾値設定手段による第１輝度閾値を変更したときの状態を説明するためのグラフである。図８は、ガンマ値設定手段による逆ガンマ値を変更したときの状態を説明するためのグラフである。図９は、輝度補正手段による他の補正処理を説明するためのグラフである。
【００３５】
なお、本実施の形態１では、画像出力装置２としてコンピュータが表示装置３に接続され、画像出力装置２から表示装置３へデジタルデータである画像データが出力されるものとする。
【００３６】
画像出力装置２からガンマ補正された画像データが出力される。この画像データは、一旦、画像メモリ３２１へ格納される（ステップＳ１０）。輝度判定手段３２２は、画像メモリ３２１を順次読み出す（ステップＳ２０）。次に、輝度判定手段３２２は、予め設定された輝度閾値設定手段３２４からの第１輝度閾値Ｘ１と画像データの輝度とを比較し、第１輝度閾値Ｘ１未満であるか否かを判定する（ステップＳ３０）。
【００３７】
輝度判定手段３２２による判定結果が、第１輝度閾値Ｘ１未満である低輝度と判定された場合、輝度補正手段３２３へ逆ガンマ補正をするように指示する（ステップＳ４０）。輝度補正手段３２３は、対応する画像データを画像メモリ３２１から読み出し逆ガンマ補正を行う。
【００３８】
ここで、逆ガンマ補正について詳述する。逆ガンマ補正は、ガンマ補正された画像データに対して、図４のグラフで示される逆ガンマ曲線に基づいて輝度を変更することで、ガンマ補正された画像データの輝度状態を相殺する処理である。逆ガンマ曲線は、出力信号＝入力信号γ（但し、入力信号は第１輝度閾値Ｘ１未満。）で示される曲線である。画像信号がコンピュータから出力される画像データである場合には、画像データが０〜２５５の２５６階調とすると、逆ガンマ曲線は、出力ピクセル＝２５５×（入力ピクセル／２５５）γで示される曲線となる。この逆ガンマ補正は、第１輝度閾値Ｘ１未満の範囲であれば、従来の補正方法と同じである。本実施の形態１では、逆ガンマ補正をする際のガンマ値を画像出力装置２のガンマ値と同じ２．２としている。
【００３９】
逆ガンマ補正は、入力された画像データの輝度と補正される輝度とを対応付ける逆ガンマ変換テーブルを参照して輝度を変換したり、変換式（上記式参照）に基づいて輝度を変換したりすることが可能である。プログラムで輝度補正手段３２３を構成する場合には、逆ガンマ変換テーブルによる変換が望ましい。
【００４０】
ステップＳ３０にて、輝度判定手段３２２による判定結果が、第１輝度閾値Ｘ１以上である場合、輝度補正手段３２３へ画像データを補正せずに表示パネル３１へ出力するように指示する（ステップＳ５０）。
【００４１】
つまり、第１輝度閾値Ｘ１未満であれば逆ガンマ補正し、第１輝度閾値Ｘ１以上であれば補正せず出力することで、図５に示される補正曲線となるので、輝度補正手段３２３により補正され、表示パネル３１へ出力される画像データは、画像生成手段２１から出力された画像データの輝度に対して、図６に示すように、第１輝度閾値Ｘ１以上の範囲では輝度が高まった状態となる。従って、低輝度部分の状態を維持することで、コントラストを確保し、高輝度部分が更に高められることで、更に明度の高い画像とすることができる。
【００４２】
輝度閾値設定手段３２４により第１輝度閾値Ｘ１を変更することが可能である。図７に示すように、輝度閾値設定手段３２４により第１輝度閾値Ｘ１が変更されることで、輝度判定手段３２２による判定の基準値が変わる。従って、画像データを補正せずにそのまま出力する範囲が変更されるので、明度のバランスを変更することができる。
【００４３】
また、ガンマ値設定手段３２５により逆ガンマ補正するガンマ値を変更することが可能である。図８に示すように、ガンマ値設定手段３２５によりガンマ値が変更されることで、輝度補正手段３２３による逆ガンマ補正を行う際のガンマ値が変わるので、低輝度部分における明度を変更することができる。
【００４４】
なお、輝度補正手段３２３による逆ガンマ補正では、図５に示すように第１輝度閾値Ｘ１を境に急激に輝度が変化する表示特性となるので、図９に示すように、第１輝度閾値Ｘ１に達したときに、入力と出力とが比例関係となる値と一致するような逆ガンマ曲線とすることで、全体の輝度のバランスが大きく崩れることが抑えられる。
【００４５】
（実施の形態２）
本発明の実施の形態２に係る表示システムを図１０に基づいて説明する。図１０は、本発明の実施の形態２に係る表示システムの構成を示すブロック図である。なお、図１０においては、図１と同じ構成のものは同符号を付して説明を省略する。
【００４６】
図１０に示すように、表示システム１ｘは、画像出力装置２ｘと、表示装置３ｘとを備えている。画像出力装置２ｘは、図１に示す画像出力装置２に、画像処理装置３２を含めたものである。そして、表示装置３ｘは、図１に示す表示装置３から画像処理装置３２を除いたものである。つまり、本実施の形態２に係る表示システム１ｘは、実施の形態１に係る画像処理装置３２を、表示装置３側から画像出力装置２側へ移動させたものである。このようにしても実施の形態１と同様の効果を得ることができる。
【００４７】
この表示システム１ｘは、画像出力装置２ｘをコンピュータとしたときに、画像処理プログラムをコンピュータ上で動作させることで、画像処理装置３２として機能させることで容易に実現できる。
【００４８】
（実施の形態３）
本発明の実施の形態３に係る表示システムを、図１１および図１２に基づいて説明する。図１１は、本発明の実施の形態３に係る表示システムの構成を示すブロック図である。図１２は、輝度補正手段による補正処理を説明するためのグラフである。なお、図１１においては、図１と同じ構成のものは同符号を付して説明を省略する。
【００４９】
図１１に示すように表示システム１ｙは、表示装置３ｙの輝度判定手段３２２ｙとして高輝度か低輝度かを判定するための第１輝度閾値Ｘ１の他に、図１２に示すように、高輝度であると判定した中で、第２輝度閾値（第２輝度基準値）Ｘ２に基づいて、高輝度範囲Ｓ１に含まれるか、中輝度範囲Ｓ２に含まれるか否かを判定し、それぞれの範囲に応じて輝度補正手段３２３ｙが輝度の補正を行うものである。
【００５０】
輝度補正手段３２３ｙは、輝度判定手段３２２ｙが高輝度範囲Ｓ１と判定した場合に、ガンマ補正された画像信号に対し非補正とする。輝度補正手段３２３ｙは、輝度判定手段３２２ｙが中輝度範囲Ｓ２と判定した場合に、以下のような補正を行う。
【００５１】
低輝度と判定されて逆ガンマ補正される輝度範囲Ｓ３のうち最も輝度が高い補正点（第１輝度閾値Ｘ１，Ｙ１）から、高輝度範囲Ｓ１のうち最も輝度が低い補正点（第２輝度閾値Ｘ２，Ｙ２）までを、輝度補正手段３２３ｙは、非補正時の輝度との乖離が逆ガンマ補正と比較して少なくなる近似補正を行う。例えば、入力された画像データに対して非補正とした場合の入力と出力との比例関係を示す直線をＬ、補正点（第１輝度閾値Ｘ１，Ｙ１）から直線Ｌまでの垂線の長さをβ、そして補正点（第１輝度閾値Ｘ１，Ｙ１）からの垂線と直線Ｌとの交点から補正点（第２輝度閾値Ｘ２，Ｙ２）までの長さをα１とすると、本実施の形態３の輝度補正手段３２３ｙは、以下の式（１）で示される補正を行う。
【００５２】
Ｙ＝Ｘ(logβ)/(logα1)  （但し、Ｘ１＜Ｘ＜Ｘ２）・・・・（１）
この式（１）では、指数（χ）である（ｌｏｇβ）／（ｌｏｇα１）が０＜χ＜１の範囲であるため、逆ガンマ補正と異なり直線Ｌにより近接した補正曲線とすることができる。
【００５３】
このように、輝度補正手段３２３ｙが式（１）に従って非補正時の輝度との乖離が逆ガンマ補正と比較して少なくなる近似補正を行う。従って、図５に示される補正を行った場合には、第１輝度閾値Ｘ１において急に輝度が上がり、表示パネル３１を見ていてノイズと誤認されるおそれがあるが、図１２に示す補正では、逆ガンマ補正される輝度範囲Ｓ３から高輝度範囲Ｓ１までを連続した補正曲線とすることができるので、ノイズと誤認されることを防止することができる。
【００５４】
なお、この第１輝度閾値Ｘ１および第２輝度閾値Ｘ２は、輝度閾値設定手段３２４ｙにて任意の値に設定することが可能である。
【００５５】
次に、本発明の実施の形態３に係る表示システムの変形例について、図１３に基づいて説明する。図１３は、輝度補正手段による補正処理を説明するためのグラフである。
【００５６】
この変形例では、輝度判定手段３２２ｙが高輝度範囲の判定の基準となる第２輝度閾値Ｘ２を「１」としたことを特徴としている。図１３に示すように、第２輝度閾値Ｘ２を「１」とすることで、高輝度範囲Ｓ３は第２輝度閾値Ｘ２上のみとなる。
【００５７】
このように第２輝度閾値Ｘ２を「１」とした場合においても、補正点（第１輝度閾値Ｘ１，Ｙ１）からの垂線と直線Ｌとの交点から補正点（第２輝度閾値Ｘ２，Ｙ２）までの長さをα２とすると、輝度補正手段３２３ｙが以下の式（２）で示される補正を行うことで、逆ガンマ補正される輝度範囲Ｓ３から高輝度範囲Ｓ１までを連続した補正曲線とすることができるので、第１輝度閾値Ｘ１にて急激に輝度が上がりノイズと誤認されることを防止することができる。
【００５８】
Ｙ＝Ｘ(logβ)/(logα2)  （但し、Ｘ１＜Ｘ＜Ｘ２）・・・・（２）
なお、実施の形態３では、第２輝度閾値Ｘ２を「１」としているが、第２輝度閾値Ｘ２を例えば０．３〜０．７の任意の値とし、第１輝度閾値Ｘ１と第２輝度閾値Ｘ２とを同じ値とすれば、実施の形態１に係る画像処理装置３２が行う補正（図５参照）のようにすることも可能である。
【産業上の利用可能性】
【００５９】
本発明は、ガンマ補正が施された画像信号を表示パネルで表示する際に、低輝度部分を維持することで、コントラストを確保し、更に全体的な明度を高めることが可能なので、ガンマ補正された画像信号を、表示輝度が入力に対して比例の関係にある表示パネルに出力する際に、補正をすることで適正に表示させることができる画像処理装置および画像処理プログラムに好適である。
【図面の簡単な説明】
【００６０】
【図１】本発明の実施の形態１に係る表示システムの構成を示すブロック図
【図２】ガンマ補正を説明するためのガンマ曲線を示すグラフ
【図３】図１に示す表示システムの動作を説明するフローチャート
【図４】逆ガンマ補正を説明するための逆ガンマ曲線を示すグラフ
【図５】輝度補正手段による補正処理を説明するためのグラフ
【図６】画像生成手段からの出力と表示パネルへの出力との輝度の関係を示すグラフ
【図７】輝度閾値設定手段による第１輝度閾値を変更したときの状態を説明するためのグラフ
【図８】ガンマ値設定手段による逆ガンマ値を変更したときの状態を説明するためのグラフ
【図９】輝度補正手段による他の補正処理を説明するためのグラフ
【図１０】本発明の実施の形態２に係る表示システムの構成を示すブロック図
【図１１】本発明の実施の形態３に係る表示システムの構成を示すブロック図
【図１２】輝度補正手段による補正処理を説明するためのグラフ
【図１３】輝度補正手段による補正処理を説明するためのグラフ
【符号の説明】
【００６１】
１，１ｘ，１ｙ  表示システム
２，２ｘ  画像出力装置
３，３ｘ，３ｙ  表示装置
２１  画像生成手段
２２  ガンマ補正手段
３１  表示パネル
３２  画像処理装置
３２１  画像メモリ
３２２，３２２ｙ  輝度判定手段
３２３，３２３ｙ  輝度補正手段
３２４，３２４ｙ  輝度閾値設定手段
３２５  ガンマ値設定手段
【図１】
2010117818.tif 000003
【図２】
2010117818.tif 000004
【図３】
2010117818.tif 000005
【図４】
2010117818.tif 000006
【図５】
2010117818.tif 000007
【図６】
2010117818.tif 000008
【図７】
2010117818.tif 000009
【図８】
2010117818.tif 000010
【図９】
2010117818.tif 000011
【図１０】
2010117818.tif 000012
【図１１】
2010117818.tif 000013
【図１２】
2010117818.tif 000014
【図１３】
2010117818.tif 000015